(57)【要約】      （修正有）【課題】衣服前部の開放範囲を広く、かつ容易に開け閉めができるシンプルな構成で成る簡易な看護用衣服を提供する。【解決手段】仰向けに寝た身体の上面を十分に覆う大きさの布地の縦中央の下部３分の１部位を縫い合わせて、その部位から上端部まで開放部２を形成する覆い体を形成し、その覆い体の下部を下前身頃３とする上端中央に衿ぐり４を設けて成る左右を左身頃５と右身頃６とする端部に袖ぐり７を設け、その袖ぐり７に、袖部１０を取り付けて成る覆い本体１１を形成し、その覆い本体１１の前記開放部２に、スライダー１２付きファスナーによる開閉部材１４を取り付けるともに、前記袖ぐり７と袖部１０端部に、オスメス一組の面ファスナーによる係止部材１５を取り付けて成る看護用衣服１とする。【選択図】図１
0003154282.tif 000002
【実用新案登録請求の範囲】
【請求項１】
仰向けに寝た人の身体を十分に覆う布地の下部を下前身頃とする中央下部から上部までを開放部とする上端中央に衿ぐりを設け、該衿ぐりの一方を上右身頃とし、他方を左身頃とする左右に設けた袖ぐりに袖部を付けて成る覆い本体を形成し、該覆い本体の前記開放部に開閉部材を取り付けて成る構成を特徴とする簡易型看護用衣服。
【請求項２】
前記する開放部の開閉部材が、スライドファスナーである請求項１に記載する簡易型看護用衣服。
【請求項３】
前記する衿ぐりと袖部の下部を一部開放し、その開放部にオスメス一組の係止部材を取り付けて成る請求項１又は請求項２に記載する簡易型看護用衣服。
【請求項４】
前記する袖部が、二枚の生地で二重に形成して成る請求項１から請求項３のいずれかの項に記載する簡易型看護用衣服。
【考案の詳細な説明】
【技術分野】
【０００１】  本考案は、寝たきり高齢者や手術を受けた重体患者のように自らでは身体を動かしにくい人のための、機能的でかつシンプルな看護用衣服に関するものである。
【背景技術】
【０００２】  従来より、寝たきり高齢者や大病により手術を受ける被介護者用の衣服としては、浴衣タイプの寝巻きを用い、被介護者が自分で脱いだりはだけにくくするために、締め部にファスナーを用いた寝巻きも提案されている。【０００３】  また、本出願人による看護用衣服として、寝たきり高齢者や意識不明に近い状態の重篤な患者を対象とする衣服として、一見パジャマや寝巻き様な形態で着用させることができ、かつ、着脱や医療行為を支障なく行える看護用衣服の技術を提案している。（例えば、特許文献１参照）
【特許文献１】特開２００５−３６３６９公報
【考案が解決しようとする課題】
【０００４】  前記するような、看護用の衣服とする浴衣タイプの寝巻きを着用させるには、ベッドに広げた後見頃部分に被介護者を乗せた後、前身頃を合わせてから袖を通すなどの作業を行い、かつ着替えさせる場合は逆の作業を行うなど同じ作業を繰り返す必要があるなど、着用させるにも着替えさせるにも大変面倒であり、被介護者はもとより介護する者にとっても大きな負担となる衣服であった。
【０００５】  次に、特許文献１に開示する看護用衣服は、前記するような浴衣タイプの衣服が持つ不便を解消した本出願人による看護用衣服であり、この衣服は、被介護者に着用させるにも着替えさせるにも負担を与えないために、肩部位を縦長状に延長した形状の上前身頃と、その下部に設けた下前身頃とで成る平面状に展開した前記前身頃の左右に袖を設け、かつ前身頃に設けた衿ぐり部には衿を設けるとともに、前記袖部に筒状の袖を形成する係止部材を設けて成る衣服であり、展開時は平面状であるが、着用させると一見パジャマ様であり、かつ診療する際や医療行為におけるチューブなども取り付け易い衣服である。
【０００６】  しかし、できるだけパジャマ様にするために、首の後ろ側に回せる衿を設けたり、袖は筒状に形成する係止部材を付けたり、単独に形成した上前身頃と下前身頃縫い合わせる形態である上、衿ぐり下部の開閉は上前身頃範囲にとどまるので、診察や医療行為を施すには狭いのでやりにくいなどの問題点があった。
【課題を解決するための手段】
【０００７】  本考案は、従来の持つ以上のような不便や欠点を解消するために、請求項１においては、仰向けに寝た人の身体を十分に覆う布地の下部を下前身頃とする中央下部から上部までを開放部とする上端中央に衿ぐりを設け、該衿ぐりの一方を右身頃とし、他方を左身頃とする左右に設けた袖ぐりに袖部を付けて成る覆い本体を形成し、該覆い本体の前記開放部に開閉部材を取り付けることで、被介護者を容易に十分に覆え、かつ診療や治療行為を行う際には簡単に衣服の一部を大きく開けられる簡易型看護用衣服とする。
【０００８】  請求項２においては、前記する開放部の開閉部材が、スライダー付きファスナーにすることで、開け閉めが容易にしてスピーディに行えるものとする。
【０００９】  請求項３においては、前記する衿ぐりと袖部の下部を一部開放し、その両側にオスメス一組の係止部材を取り付けることで、治療行為を行う際や体温調節が容易に行えるものとする。
【００１０】  請求項４においては、前記する袖部が、二枚の生地で二重に形成することにより、適度な重さで隙間を防いで保温効果を保てるものとする。
【考案の効果】
【００１１】  本考案による看護用衣服は、平板状を成す縦長状の布地の中央上部に衿ぐりを設けた左右に袖部を設けた覆い本体の下前身頃の中ほどから上端部まで、スライダー付きファスナーを取り付けた、衿を設けない左右対称で成るきわめてシンプル構成であるので、型紙もシンプルにして縫製も熟練者でなくても容易に作れる看護用衣服を提供する。
【００１２】  さらに、ファスナーを取り付けた開放部は、衿ぐりから膝部位に達する長さであることに加え、スライダーは二つ取り付けているので、上からでも下からでも任意の箇所を大きく開けられるので、衣服を捲らなくても診察や治療行為を行い易い。
【００１３】  また袖部は二重であり、袖ぐりと袖部の一部は開閉できるため、治療行為のためのチューブ取り付けるにも差し支えなく、かつ少し気温が低い時は閉じて隙間を塞ぐことも容易な構成もシンプルにして安価に提供できる、重傷者はもとより一般の入院患者も含めて気軽に使える簡易型の看護用衣服となる。
【考案を実施するための最良の形態】
【００１４】  本考案の看護用衣服の実施形態を、図１に示す展開正面図と図２に示す一部を欠いた袖部の正面図、図３の使用状態を示す参考例図で説明する。【００１５】  本考案による看護用衣服１は、縦長状の無地または柄模様付きの布地二枚により、仰向けに寝た患者の身体上面を十分に覆う大きさで成る縦中央の下部３分の１部位を縫い合わせて、その部位から上端部まで開放部２を形成する覆い体を形成し、さらに、その覆い体の下部を下前身頃３とする覆い体の上端中央に衿ぐり４を設けるとともに、その衿ぐり４の一方を左身頃５とし、他方を右身頃６とする左右に袖ぐり７，７を設け、その袖ぐり７，７に、図２に示すように、表布８と裏布９の二枚で成る二重の袖部１０を、下部を開放した状態に縫い付けて左右対称となる平板状の覆い本体１１を形成する。【００１６】  次に、以上のように形成した覆い本体１１の前記開放部２には、上下に個々に移動する二つのスライダー１２，１２付きファスナー１３による開閉部材１４を取り付けるともに、前記袖ぐり７と袖部１０の端部に、オスメス一組の面ファスナーによる係止部材１５，１５を取り付けて成る簡易型の看護用衣服１を構成する。【００１７】  本考案の実施形態による看護用衣服１は、身体を十分に覆う大きさで成る縦長状の布地による覆い本体１１の下部を下前身頃３とし、その下前身頃３の中央部の中ほど部位から上端まで開閉できるファスナー１３付き開放部２を形成するので、例えば、診察の際や治療行為のためのチューブ等を取り付ける場合でもスピーディに開けられ、かつ単独に動くスライダー１２を二つを備えているので、上下いずれの方向からでも開けたり閉じたりすることが簡単にできる。また袖ぐり７部には、下部を一部開放した袖部１０を設け、その衿ぐり４と袖部１０端部にオスメス一組とする係止部材１５を設けているので、暑い時や寒い時は開閉して調節したり治療行為のための開放も容易に行え、かつ袖部１０は二重であるので適度な重さと保温性を維持する。【００１８】  次に、本考案による看護用衣服１を使用する際は、図３に示すように敷き布団やベッドに寝ている患者Ａの胸から下部全体を覆うように掛けると、足側及び左右側部は十分余るほど余裕をもって覆えるとともに、必要なら想像折り線Ｂ，Ｃ部から足側や左右部位を折り返して患者Ａの身体の下側に差し入れると、身体を温かく包み込める。【００１９】  本考案は以上のような構成であるが、開閉部材１４はスライーダー１２を２個取り付けているが一つでも構わない。また袖ぐり７と袖部１０の係止部材１５は面ファスナーであるが、これ以外にホックやボタン留めでも差支えない。さらに袖部１０は保温性を高めるために二重であるが一重でもよいし、また覆い本体１１全体を二重にしても差し支えない。加えて、覆い体１１は二枚の布地を連結形成しているが、一枚布地で形成してもよく、いずれも特に限定されるものではない。
【図面の簡単な説明】
【００２０】
【図１】本考案の看護用衣服を示す展開平面図である。
【図２】看護用衣服の袖部の一部を欠いた状態の斜視図である。
【図３】本考案の看護用衣服の使用状態を示す参考図である。
【符号の説明】
【００２１】１  看護用衣服
２  開放部
３  下前身頃
４  衿ぐり
５  左身頃
６  右身頃
７  袖ぐり
８  表布
９  裏布
１０  袖部
１１  覆い本体
１２  スライダー
１３  ファスナー
１４  開閉部材
１５  係止部材
Ａ  患者
Ｂ  想像折り線
Ｃ  想像折り線
【図１】
0003154282.tif 000003
【図２】
0003154282.tif 000004
【図３】
0003154282.tif 000005